(57)【要約】【課題】キートップ面の文字を可変に表示し、かつ、複数のキーを連結したキー表示及び入力検知を可能にする。【解決手段】複数の第１のキー接点が形成されたマトリックス状に形成された回路基板と、第１のキー接点に対向して、複数の第２のキー接点がマトリックス状に形成されたスイッチシートと、スイッチシートの上に配置され、キートップの文字或いは記号を表示することができる電子ペーパーと、第１のキー接点と第２のキー接点との間に配置された複数のキーガイドと、キーの文字又は記号を生成するキー表示生成部によって生成された文字又は記号を電子ペーパーに表示するキー表示部と、ユーザによるキーの押下によって、第１の接点と第２の接点の位置的関係から該当するキーの信号を検知する第１の検知部と、キー表示部と第１の検知部からの信号を用いて、キー入力を判定する判定部とを有する。【選択図】図６
2010108274.tif 000002
【特許請求の範囲】
【請求項１】
自動取引装置に使用されるキー入力装置であって、
複数の第１のキー接点が形成されたマトリックス状に形成された回路基板と、該第１のキー接点に対向して、複数の第２のキー接点がマトリックス状に形成されたスイッチシートと、該スイッチシートの上に配置され、キートップの文字或いは記号を表示することができる電子ペーパーと、該第１のキー接点と該第２のキー接点との間に配置された複数のキーガイドと、キーの文字又は記号を生成するキー表示生成部によって生成された文字又は記号を該電子ペーパーに表示するキー表示部と、ユーザによるキーの押下によって、該第１の接点と該第２の接点の位置的関係から該当するキーの信号を検知する第１の検知部と、該キー表示部と該第１の検知部からの信号を用いて、キー入力を判定する判定部と、を有することを特徴とするキー入力装置。
【請求項２】
自動取引装置に使用されるキー入力装置であって、
複数の第１のキー接点が形成されたマトリックス状に形成された回路基板と、該第１のキー接点に対向して、複数の第２のキー接点がマトリックス状に形成されたスイッチシートと、該スイッチシートの上に配置され、キートップの文字或いは記号を表示することができる電子ペーパーと、該回路基板と該電子ペーパーの間にあり、該第１のキー接点と該第２のキー接点との間に配置されたスイッチ機能と有する複数のキーガイドと、キーの文字又は記号を生成するキー表示生成部によって生成された文字又は記号をキーの文字又は記号を該電子ペーパーに表示するキー表示部と、ユーザによるキーの押下によって、該第１の接点と該第２の接点の位置的関係から該当するキーの信号を検知する第１の検知部と、ユーザによるキーの押下によって、該キーガイドのスイッチ機能からの信号を検知する第２の検知部と、該キー表示部と、該第１の検知部及び該第２の検知部からの信号を用いて、キー入力を判定する判定部と、を有することを特徴とするキー入力装置。
【請求項３】
前記キー表示生成部は、最小単位のキーに対応するキーに表示する文字又は記号を生成する第１のモードと、最小単位のキーを複数連結した連結キーに対応する文字又は記号を生成する第２のモードを有し、
前記キー表示部は、該キー表示生成部によって生成されたキー表示を該電子ペーパーに表示することを特徴とする請求項１又は２のキー入力装置。
【請求項４】
前記キー表示生成部は、最小単位のキーを複数連結した連結キーに対応するメッセージを生成する第３のモードを有し、
前記キー表示部は、該キー表示生成部によって該第３のモードに基くメッセージを該電子ペーパーに表示することを特徴とする請求項１乃至３のいずれかの自動取引装置。
【請求項５】
前記自動取引装置が無通電状態の時でも、該第３のモードによるメッセージを該電子ペーパーに表示することを特徴とする請求項４の自動取引装置。
【発明の詳細な説明】
【技術分野】
【０００１】
本発明は自動取引装置のキー入力装置に係り、特に現金自動取引装置に搭載され、取引項目や入出金額、暗証番号等の入力に用いられるキー入力装置に関する。
【背景技術】
【０００２】
金融機関で用いられる現金自動取引装置には、液晶表示器とタッチパネルとを一体化したタッチパネル式の入力装置が使用されている。この入力装置は、液晶表示器に取引項目や入出金額、暗証番号等の入力項目を表示し、その表示に対応する場所を指で接触することで所望の入力を行うことができる。
【０００３】
タッチパネル式のキー入力装置として、例えば、特許文献１には、回路基板上に配置されたスイッチシートの上に電子ペーパーを配置し、この電子ペーパー上にキートップを有する透明なキーシートを配置して、電子ペーパーにキートップ用の文字や記号を可変に表示するキー入力装置が開示されている。
【０００４】
【特許文献１】特開２００５−３５２９８７公報
【発明の開示】
【発明が解決しようとする課題】
【０００５】
上記のキー入力装置は、携帯電話等の移動体端末のキー入力装置としては有用と思われるが、現金自動取引装置に使用されるキー入力装置として適していない。例えば、現金取引装置では、通常の操作画面にメニュー選択画面を表示して入力させるのは困難となる。例えば「１」「円」を表示するエリアに「残高照会」等の文言を表示するのは見難く、また操作し難い。
【０００６】
本発明は、キートップ面の文字を可変に表示し、かつ、複数のキーを連結したキー表示及び入力検知を可能にすることにある。
【課題を解決するための手段】
【０００７】
本発明に係るキー入力装置は、好ましくは、自動取引装置に使用されるキー入力装置であって、複数の第１のキー接点が形成されたマトリックス状に形成された回路基板と、該第１のキー接点に対向して、複数の第２のキー接点がマトリックス状に形成されたスイッチシートと、該スイッチシートの上に配置され、キートップの文字或いは記号を表示することができる電子ペーパーと、該第１のキー接点と該第２のキー接点との間に配置された複数のキーガイドと、キーの文字又は記号を生成するキー表示生成部によって生成された文字又は記号を該電子ペーパーに表示するキー表示部と、ユーザによるキーの押下によって、該第１の接点と該第２の接点の位置的関係から該当するキーの信号を検知する第１の検知部と、該キー表示部と該第１の検知部からの信号を用いて、キー入力を判定する判定部と、を有することを特徴とするキー入力装置として構成される。
【０００８】
他の好ましい例によれば、本発明は、自動取引装置に使用されるキー入力装置であって、複数の第１のキー接点が形成されたマトリックス状に形成された回路基板と、該第１のキー接点に対向して、複数の第２のキー接点がマトリックス状に形成されたスイッチシートと、該スイッチシートの上に配置され、キートップの文字或いは記号を表示することができる電子ペーパーと、該回路基板と該電子ペーパーの間にあり、該第１のキー接点と該第２のキー接点との間に配置されたスイッチ機能と有する複数のキーガイドと、キーの文字又は記号を生成するキー表示生成部によって生成された文字又は記号をキーの文字又は記号を該電子ペーパーに表示するキー表示部と、ユーザによるキーの押下によって、該第１の接点と該第２の接点の位置的関係から該当するキーの信号を検知する第１の検知部と、ユーザによるキーの押下によって、該キーガイドのスイッチ機能からの信号を検知する第２の検知部と、該キー表示部と、該第１の検知部及び該第２の検知部からの信号を用いて、キー入力を判定する判定部と、を有することを特徴とするキー入力装置として構成される。
【０００９】
また、好ましくは、前記キー表示生成部は、最小単位のキーに対応するキーに表示する文字又は記号を生成する第１のモードと、最小単位のキーを複数連結した連結キーに対応する文字又は記号を生成する第２のモードを有し、前記キー表示部は、該キー表示生成部によって生成されたキー表示を該電子ペーパーに表示する。
また、好ましくは、前記キー表示生成部は、最小単位のキーを複数連結した連結キーに対応するメッセージを生成する第３のモードを有し、前記キー表示部は、該キー表示生成部によって該第３のモードに基くメッセージを該電子ペーパーに表示する自動取引装置として構成される。
また、好ましくは、前記自動取引装置が無通電状態の時でも、該第３のモードによるメッセージを該電子ペーパーに表示する自動取引装置として構成される。
【発明の効果】
【００１０】
本発明によれば、キートップ面の文字を可変に表示することができ、かつ、複数のキーを連結したキー表示及び入力検知が可能となる。
また、キーの境にガイドを設けたので、キー入力の誤動作を防止することできる。また、キー面にメッセージ表示を可能し、現金自動取引装置に使用するキー入力装置として、省エネ動作の復旧動作或いは停電等による無通電時の「ガイダンス」表示に活用できるという利便性もある。
【発明を実施するための最良の形態】
【００１１】
以下、図面を参照して本発明の実施形態について説明する。
図１はキー入力装置が適用された現金自動取引装置（ＡＴＭ）の概観を示す。
このキー入力装置は、通常時には、図２（１）のように、０〜９の「数字」「万」「千」「円」「確認」「取消」「訂正」等のキー配列を含む通常入力画面が表示され、入出金額や暗証番号等の入力に供される。また、文字入力時には、図２（２）のように、文字入力画面が表示され、メニュー選択時には、同（３）のようなメニュー選択画面が表示される。このように、ＡＴＭにおける取引の応じて、キー配列及びキーの大きさが変わる。
【００１２】
本発明は、キーが構造的に配列された基板上のスイッチシート上面に電子ペーパーを用い、キーの表示の大きさを可変させることで、図２（１）〜（３）のキー配列に対処するものである。また、キー表示面を１枚の電子ペーパーで構成することで、通常時には、図２（１）のような通常入力画面を表示し、メニュー選択時には、図２（３）のように、通常時のキーを連結した状態で、例えば「残高照会」のように、大きさを変えたキーを表示する。
【００１３】
[実施例１]
図３は一実施例によるキー入力装置の構造を示す。
キー入力回路を構成する回路基板３１の上にスイッチシート３２を配置し、スイッチシート３２の上に電子ペーパー３３を配置する。回路基板３１との接点３１１と、スイッチシート３２の接点３２１で、各スイッチの接点を構成する。また、キーを最小配列単位に区切るために、合成樹脂製のキーガイド３４を配置する。
【００１４】
図４に示すように、スイッチの接点３１１と３２１は、通常入力画面のキー配列に対応した最小単位の配列で、回路基板３１とスイッチシート３２にマトリックス上に形成されている。更に、図５に示すように、取引のメニュー選択時には、通常時の最小単位のキーを複数連結した状態で、「出金取引」や「残高照会」のキー文字のように、形状を大きくしたキーを表示することができる。このように、１枚の電子ペーパーでキー面を構成して、電子ペーパー３３にキー文字を可変に表示することができる。
ユーザが電子ペーパー３３に表示されたキー文字を押下すると、スイッチシート３２の接点３２１と回路基板３１の接点３１１が接触してキー入力の信号を発生する。
この入力信号を入力装置の制御部が検知することで、キー信号が入力される。なお、制御部については、図６を参照して後述するが、実施例１の場合、図６に示す制御ブロックのうち、キー押下検知部６３は不要となる。
【００１５】
更に、「１」「２」「３」のような数字キーが表示された入力キー面で、「２」キーを押下した場合、隣接する「１」と「３」キーのスイッチシート３２が影響する可能性があるが、本発明によれば、キーの最小表示単位のごとにキーガイド３４を配置することで、あるキーの押下に対して、それに隣接して表示されたキーの入力の影響（即ちスイッチシート３２の引っ張りによって入力信号を発してしまうこと）を防止している。
【００１６】
[実施例２]
次に、図６〜図７を参照して、実施例２について説明する。
図６はキー入力装置の構造及び制御部の構成を示す。
【００１７】
実施例１と同様に、隣接するキーへの影響を防止するために、キー毎に独立したスイッチシート３２とキーガイド３５により特定個所のみの押下を検出できるように構成しているが、キーガイド３５の構成が異なる。キーガイド３５は、基板３１と電子ペーパー３３との間に配置され、通常の「押しキー」スイッチのように、上からの押下げで可動する構造であり、その押下げによって電気信号を発する。その意味では、キーガイド３５はスイッチと呼んでもよい。
【００１８】
制御部は、キー表示部６１、スイッチシート検知部６２、キー押下検知部６３、及び処理部６４から成り、処理部６４は更に、キー表示生成部６４２と検知処理判別部６４を有して構成される。処理部６４は例えばマイクロプロセッサで構成され、キー表示生成部６４２及び検知処理判別部６４の機能は、マイクロプロセッサでプログラムが実行することで実現される。キー表示生成部６４２は、図４或いは図５のようなキー表示文字や記号を生成する。検知処理判別部６４は、後述するように、スイッチシート検知部６２及びキー押下検知部６３から検知信号を処理して、キー入力の検知を行う。
【００１９】
キー表示部６１は、キー表示生成部６４２で生成された、キー表示文字等を電子ペーパー３３の指定された箇所に表示する制御を行う。スイッチシート検知部６２は、キー押下、即ち回路基板３１に構成されるスイッチ接点３１１とスイッチシート３２の接点３２１の接触を検知する。キー押下検知部６３は、電子ペーパー３３の押下げによってキーガイド３５から発生される信号を検知する。
検知処理判定部６４は、スイッチシート検知部６２とキー押下検知部６３で検出されたキー信号と、キー表示部６１で表示したキー情報を用いて判別処理を行ない、キー入力検知を行なう。
【００２０】
例えば、図７（１）のように、電子ペーパー３３に表示された「取消」表示エリアをユーザが押下した場合、スイッチシート検知部６２にはＡの信号が伝達される。表示エリアの押下箇所によりキー押下検知部６３に、スイッチガイドＥ及びＦからの信号も伝達される。検知処理判別部６４では、スイッチシート検知部６２に伝達された情報で、押下箇所を判別し、Ａであれば「取消」がキー入力されたと判断する。また、Ｂであれば「訂正」、Ｃであれば「０」、Ｄであれば「確認」のキー入力と判定する。
以上のように、個別キーが表示されている時には、スイッチシート検知部６２で検知される情報で電子ペーパー３３の押下エリアを検知し、キー表示部６１によって表示されたキー情報の押下を検知する。
【００２１】
また、図７（２）のように、キー表示部６１によって、電子ペーパー３３に、Ａ，Ｆ，Ｂのエリアに「前メニュー」、Ｃ，Ｈ，Ｄのエリアに「次メニュー」のキーが表示されているとする。この状態で、ユーザが「前メニュー」のエリアを押下した場合、スイッチシート検知部６２には、Ａ又はＢ、若しくはＡとＢからの信号が伝達される。また、キー押下検知部６３にはＦの信号が伝達される。表示エリアの押下箇所によってはキー押下検知部６３にはＥとＦの信号も伝達される。検知処理判別部６４４では、スイッチシート検知部６２に伝達された情報で押下箇所を判別し、Ａ又はＢ、若しくはＢ又はＦの信号であれば「前メニュー」がキー入力されたと判断する。
以上のように、連結キーが表示されている時にはスイッチシート検知部６２で検知される情報とキー押下検知部６３の情報の組合せた複数の情報を用いて、電子ペーパー３３の押下エリアを検知し、キー表示部６１によって表示されたキー情報の押下を検知する。
【００２２】
以上のように、本実施例によれば、ＡＴＭの操作内容に応じて、図２に示すように、数字キーを含む通常入力画面（１）、文字入力画面（２）、取引メニュー選択画面（３）のキー配列を、キー間の境目を無くして、キーの大きさを可変に表示して、キー入力を可能にすることができる。
【００２３】
このキー入力装置をＡＴＭに搭載することで、通常、タッチパネル付ＬＣＤを用いて実現される取引操作と同様のキー入力が可能となり、ＬＣＤでは実現できないキーボードの押下感触（キー押下）を持ったキー入力装置兼メッセージ表示器を実現することができる。
【００２４】
また、キー表示を連結してそれにメッセージを表示することも可能である。例えば、省エネの実現のために、顧客が居ない時又は取引がない時にはタッチパネル付ＬＣＤの電源をＯＦＦさせ、キー入力装置の連結したキーには「取引開始時は、この画面を押して下さい」と表示しておき、省エネモードからの復旧動作を実現できる。
【００２５】
ＡＴＭに適用されたキー入力装置はキー面に電子ペーパーを使用しているので、キー面は常にキーが表示されている。そのため、ＡＴＭの省エネのために、通電がＯＦＦ状態であってキー入力装置へ通電されない場合でも、キー面の各キー又はキー面全体には、取引案内やメッセージ（例えば、「取引開始時は、この画面を押してください」）を表示しておくことが可能である。そして、キー押下によって、キー入力が検知され、復帰（通電開始）を可能にする。
【００２６】
無通電状態で、キー面にメッセージを表示することが可能になるので、ＡＴＭにおいて、停電等の無通電状態が発生した場合に、キー入力装置に「ただいま取扱いできません。インターホンで連絡下さい」等のキー入力兼メッセージ表示装置として利用できる。
【図面の簡単な説明】
【００２７】
【図１】キー入力装置が使用された現金自動取引装置の外観を示す図。
【図２】キー入力装置におけるキー配列の可変表示の様子を示す平面図。
【図３】一実施例（実施例１）におけるキー入力装置の構造を示す断面図。
【図４】一実施例におけるキー入力装置の平面図。
【図５】一実施例におけるキー入力装置の平面図。
【図６】他の実施例（実施例２）におけるキー入力装置の構造及び制御部を示す図。
【図７】他の実施例におけるキー入力装置の構造を示す断面図。
【符号の説明】
【００２８】
３１：回路基板  ３２：スイッチシート  ３３：電子ペーパー  ３４：キーガイド  
３６：キーガイド  
６１：キー表示部  ６２：スイッチシート検知部  ６３：キー押下検知部  ６４：処理部  ６４２：キー表示生成部  ６４４：検知処理判別部。
【図１】
2010108274.tif 000003
【図２】
2010108274.tif 000004
【図３】
2010108274.tif 000005
【図４】
2010108274.tif 000006
【図５】
2010108274.tif 000007
【図６】
2010108274.tif 000008
【図７】
2010108274.tif 000009